(57)【要約】【課題】折り目を有する原稿をスキャンする際にその折り目が読み取り時の搬送不良の要因となる。【解決手段】画像読取装置であって、原稿の読み取りを行う第１および第２の検出手段であって、それぞれが前記原稿の搬送方向に対して直交する方向に沿って読み取り範囲を有し、かつ、前記第１の検出手段の読み取り範囲と前記第２の検出手段の読み取り範囲とは前記搬送方向において前記原稿に対して読み取る範囲が重複した重なり部が設けられた第１および第２の検出手段と、前記原稿の読み取りの際の読み取り制御を行う制御手段とを備え、前記制御手段は、前記重なり部における前記第１の検出手段の検出結果と前記第２の検出手段の検出結果とから得られる値が所定の範囲を超えて変動した場合に、所定の読み取り制御を行う。【選択図】  図７
2019198007.tif 000002
【特許請求の範囲】
【請求項１】
画像読取装置であって、
原稿の読み取りを行う第１および第２の検出手段であって、それぞれが前記原稿の搬送方向に対して直交する方向に沿って読み取り範囲を有し、かつ、前記第１の検出手段の読み取り範囲と前記第２の検出手段の読み取り範囲とは前記搬送方向において前記原稿に対して読み取る範囲が重複した重なり部が設けられた第１および第２の検出手段と、
前記原稿の読み取りの際の読み取り制御を行う制御手段と
を備え、
前記制御手段は、前記重なり部における前記第１の検出手段の検出結果と前記第２の検出手段の検出結果とから得られる値が所定の範囲を超えて変動した場合に、所定の読み取り制御を行うことを特徴とする画像読取装置。
【請求項２】
前記制御手段は、前記重なり部における前記第１の検出手段の検出結果と前記第２の検出手段の検出結果との比が前記所定の範囲を超えて変動した場合に、前記所定の読み取り制御を行うことを特徴とする請求項１に記載の画像読取装置。
【請求項３】
前記所定の読み取り制御は、原稿の搬送速度を変更する制御であることを特徴とする請求項１または２に記載の画像読取装置。
【請求項４】
前記制御手段は、前記値が前記所定の範囲を超えた場合に前記原稿の搬送速度を低下させ、その後、当該値が前記所定の範囲内へ変動した場合に前記原稿の搬送速度を上昇させることを特徴とする請求項３に記載の画像読取装置。
【請求項５】
前記制御手段は、前記原稿の搬送速度を変更する際に、目標速度に対して段階的に変更を行うことを特徴とする請求項３または４に記載の画像読取装置。
【請求項６】
前記画像読取装置は、前記原稿の搬送経路上に前記原稿を押さえるための押さえ部材を備え、
前記所定の読み取り制御は、前記原稿を搬送する際の前記押さえ部材による押さえの圧力を変更する制御であることを特徴とする請求項１または２に記載の画像読取装置。
【請求項７】
前記制御手段は、前記値が前記所定の範囲を超えた場合に前記押さえ部材による押さえの圧力を低下させ、その後、当該値が前記所定の範囲内へ変動した場合に前記押さえ部材による押さえの圧力を上昇させることを特徴とする請求項６に記載の画像読取装置。
【請求項８】
複数の前記押さえ部材が設けられ、
前記制御手段は、前記値が前記所定の範囲を超えた状態が継続するに従って、前記複数の押さえ部材のうちの押さえ圧力を低下させる押さえ部材の数を増加させることを特徴とする請求項６または７に記載の画像読取装置。
【請求項９】
前記第１の検出手段および第２の検出手段はそれぞれ、読取対象に対して光を照射する発光部と、前記読取対象からの反射光を受光する受光部とを備え、
前記第１の検出手段の発光部による前記読取対象への照射の向きは、前記第２の検出手段の発光部による前記読取対象への照射の向きとは異なることを特徴とする請求項１乃至８のいずれか一項に記載の画像読取装置。
【請求項１０】
前記画像読取装置は、前記第１の検出手段および前記第２の検出手段を含む複数の検出手段を備え、
前記複数の検出手段は、千鳥配列にて配置されることを特徴とする請求項１乃至９のいずれか一項に記載の画像読取装置。
【請求項１１】
前記複数の検出手段により、複数の重なり部が設けられ、
前記制御手段は、前記複数の重なり部における検出結果に基づいて、読み取り制御を行うことを特徴とする請求項１０に記載の画像読取装置。
【請求項１２】
請求項１乃至１１のいずれか一項に記載の画像読取装置を備える画像形成装置。
【請求項１３】
原稿の読み取りを行う第１および第２の検出手段であって、それぞれが前記原稿の搬送方向に対して直交する方向に沿って読み取り範囲を有し、かつ、前記第１の検出手段の読み取り範囲と前記第２の検出手段の読み取り範囲とは前記搬送方向において前記原稿に対して読み取る範囲が重複した重なり部が設けられた第１および第２の検出手段を備える画像読取装置の制御方法であって、
前記重なり部における前記第１の検出手段の検出結果と前記第２の検出手段の検出結果とから得られる値が所定の範囲を超えて変動した場合に、所定の読み取り制御が行われることを特徴とする画像読取装置の制御方法。
【請求項１４】
原稿の読み取りを行う第１および第２の検出手段であって、それぞれが前記原稿の搬送方向に対して直交する方向に沿って読み取り範囲を有し、かつ、前記第１の検出手段の読み取り範囲と前記第２の検出手段の読み取り範囲とは前記搬送方向において前記原稿に対して読み取る範囲が重複した重なり部が設けられた第１および第２の検出手段を備える画像読取装置に、
前記重なり部における前記第１の検出手段の検出結果と前記第２の検出手段の検出結果とから得られる値が所定の範囲を超えて変動した場合に、所定の読み取り制御を行わせるためのプログラム。
【発明の詳細な説明】
【技術分野】
【０００１】
本発明は、画像読取装置およびその制御方法、並びにプログラムに関する。
【背景技術】
【０００２】
大判の原稿は、持ち運びために小さいサイズに折り畳まれることがある。その後、折り畳まれた原稿を開き、画像読取装置で読み取る場合、原稿に生じた折り目は、搬送不良を発生する要因の一つとなる。
【０００３】
原稿読み取り時の搬送不良を検出する方法としては、例えば、特許文献１では、搬送経路における媒体の通過時間を監視し、標準通過時間を超えている場合にジャムが発生していると判定する技術が開示されている。特許文献１の方法を用いることで、搬送不良発生時に、画像読み取りを停止させることができる。
【先行技術文献】
【特許文献】
【０００４】
【特許文献１】特開平７−２６７４２８号公報
【発明の概要】
【発明が解決しようとする課題】
【０００５】
しかしながら、画像読取装置の停止時には、原稿は搬送不良の結果により生じた紙ジャムにより影響を受けてしまう。また、特許文献１の構成では、媒体の通過時間を監視するために別検出手段が必要となる。
【０００６】
本発明は、読取対象の原稿に折り目が含まれる場合でも、読取時の折り目による原稿の搬送不良を低減することを目的とする。
【課題を解決するための手段】
【０００７】
上記課題を解決するために本願発明は以下の構成を有する。すなわち、画像読取装置であって、原稿の読み取りを行う第１および第２の検出手段であって、それぞれが前記原稿の搬送方向に対して直交する方向に沿って読み取り範囲を有し、かつ、前記第１の検出手段の読み取り範囲と前記第２の検出手段の読み取り範囲とは前記搬送方向において前記原稿に対して読み取る範囲が重複した重なり部が設けられた第１および第２の検出手段と、前記原稿の読み取りの際の読み取り制御を行う制御手段とを備え、前記制御手段は、前記重なり部における前記第１の検出手段の検出結果と前記第２の検出手段の検出結果とから得られる値が所定の範囲を超えて変動した場合に、所定の読み取り制御を行う。
【発明の効果】
【０００８】
本発明により、読取対象の原稿に折り目が含まれる場合でも、読取時の折り目による原稿の搬送不良を低減することが可能となる。
【図面の簡単な説明】
【０００９】
【図１】本発明に係る大判に対応可能な読取装置の斜視図。
【図２】本発明に係る大判に対応可能な読取装置の横断面図。
【図３】本発明に係る大判に対応可能な複合機の斜視図。
【図４】本発明に係る大判に対応可能な複合機の横断面図。
【図５】千鳥配置の検出部による読み取り画像を説明するための図。
【図６】本発明に係る制御回路の概略ブロック図。
【図７】第１の実施形態に係る読取処理のフローチャート。
【図８】本発明に係る検出部の千鳥配置の構成例を説明するための図。
【図９】本発明に係る複数の検出部の構成例を説明するための図。
【図１０】第一、第二の検出部の重なり部で検出した出力を説明するための図。
【図１１】本実施形態に係る第一、第二検出部の比較部による出力の変動を示す図。
【図１２】第２の実施形態に係る読取処理のフローチャート。
【図１３】第２の実施形態に係る原稿押さえ部の構成例を示す図。
【図１４】第３の実施形態に係る検出部の受光部と発光部の関係を表す図。
【図１５】第３の実施形態に係る折り目を含む原稿を読み取った場合の出力例を示す図。
【発明を実施するための形態】
【００１０】
＜第１の実施形態＞
本発明を適用するのに好適な画像読取装置として、大判の原稿の読み取りに対応可能な画像読取装置を例に挙げて説明する。以下、単に読取装置と称する。
【００１１】
図１は、読取装置の斜視図である。ここでは説明を簡易化するために、読取装置から操作部、排紙部を取り外した状態で示している。図１では、読取装置の上カバー３を開いている状態を示しているが、通常使用時は、上カバー３を閉じて用いられる。搬送ローラ１は、読取対象である原稿を前方から後方へ搬送させることで、大判サイズの原稿をライン上に配したセンサで検出する。ここでは、搬送ローラ１は、読取装置８の下筺体４側にて２列で設けられている。なお、大判の原稿に対応可能な読取装置の構成としては、原稿を搬送して走査する構成のほかに、ラインセンサを駆動（移動）させる構成がある。ラインセンサを駆動させる方法を用いて読取装置を構成した場合、一般的に大判サイズの読み取り台が必要になり、結果としてその構成が大型になる。これを踏まえ、本実施形態では、装置の小型化を前提とした、原稿を搬送して読み取りを行う構成を用いて説明を行う。
【００１２】
エンコーダホイール１１は、搬送ローラ１の回転を制御するための搬送用のエンコーダホイールである。原稿の移動量、すなわち、モータの回転量は、エンコーダホイール１１の動作量を検出することで制御される。読取部２は、発光部と受光部とを含んで構成される検出部（例えば、ラインセンサ）を複数備え、原稿の表面の画像を読み取るための部位である。検出部は、発光部から発光された光が対象により反射され、その反射光が受光部に受光されることで読み取りを行う。発光部と受光部は同一側に配置され、ここでは、上カバー３側に設けられているものとする。
【００１３】
本実施形態に係る読取装置の読取部２は、複数の検出部を千鳥配列状に配置し、大判幅に対応可能な読取部を構成する。例えば、Ａ４サイズに対応する検出部を幅方向に複数つなげることで、読取幅を広げ、長尺の読取装置を実現することが可能である。一般的に、大判サイズに適合した長尺の読取部を製造するために特別の製造装置や、製造に係る精度が要求される。そのため、安価な大判に対応可能な読取装置を実現する場合、Ａ４サイズの検出部を複数つなげる構成が採用される。また、検出部の読み取り範囲間のつながり部分における画像不良の発生を軽減するために、所定の方向において、２つの検出部に重なり部を設ける。ここでの所定の方向は、例えば、幅方向に直交する方向が該当する。以下、本明細書では、このように配置された複数の検出部の配置を千鳥配置と称する。
【００１４】
図２は、本実施形態に係る読取装置の横断面図を示す。読取対象の原稿５は、原稿台１６から読取装置８に挿入される。原稿５の搬送経路上において、上流側と下流側にそれぞれ配された２つの搬送ローラ１により原稿５が搬送され、前述の千鳥配置にて構成された読取部２により画像検出を行う。読取部２により検出された画像は、読取装置８内部に備えられた制御部１７へ出力され、画像制御が行われる。
【００１５】
図３は、本発明を適用可能な、大判画像の画像形成および読み取りが可能な複合機７の斜視図を示す。以下では、読取装置を例に挙げて説明を行うが、本実施形態に係る読取装置を備えた複合機（画像形成装置）として実現されてもよい。図４は、図３に示す複合機７の横断面図を示す。複合機７の上部に配置された読取装置８により、原稿５が読み取られる。読取装置８は、記録装置用の用紙として用いられるロール紙１４に対して、原稿読み取りに干渉しないように配される。また、記録装置の動作と読取装置８の動作は、同時駆動可能であるように構成されてよい。したがって、画像読み取りと画像形成における用紙の搬送経路は、別々に設けられてよい。
【００１６】
図５は、千鳥配置にて配置された検出部による読み取り画像を説明するための模式図である。ここでは読取部２に設けられた複数の検出部のうち、第一の検出部２０と、第二の検出部２１を例に挙げて説明する。１つの検出部は、複数の検出素子（発光部と受光部の対）からなるラインセンサから構成されるものとする。また、１つの検出部にて、Ａ４サイズの画像の読み取りが可能である場合を例に挙げて説明する。第一の検出部２０と第二の検出部２１は、原稿搬送方向において重なり部２３を有する。原稿搬送方向に直交する方向における、重なり部２３の幅については後述する。読取画像２６は、原稿読み取り動作により第一の検出部２０で検出した（読み取られた）結果を示している。読取画像２７は、原稿読み取り動作により第二の検出部２１で検出した（読み取られた）結果を示している。第一の検出部２０と第二の検出部２１それぞれの検出結果として得られた画像を統合することにより、Ａ４サイズよりも大きな幅の画像として読み取り結果を生成する。このとき、重なり部２３に位置する画像は、同一原稿部分（第一の検出部２０と第二の検出部２１にて重複して読み取られた画像）である。
【００１７】
図６は、本実施形態に係る読取装置８の制御回路の概略ブロック図である。コントローラ１０７は、主制御部であり、例えば、マイクロコンピュータ形態のＣＰＵ１０８を有する。コントローラ１０７は、各種データが記憶された記憶部１０３と通信を行う。記憶部１０３は、プログラムや所要のテーブルその他の固定データを格納したＲＯＭ（Ｒｅａｄ  Ｏｎｌｙ  Ｍｅｍｏｒｙ）や、画像データを展開する領域や作業用の領域を設けたＲＡＭ（Ｒａｎｄｏｍ  Ａｃｃｅｓｓ  Ｍｅｍｏｒｙ）を含んで構成される。画像処理部１０２は、センサ１００から検出したアナログデータをＡＤ変換機１０１にて変換されたデジタルデータを処理する処理ブロックである。
【００１８】
センサ１００は複数が設けられ、それぞれ、図１にて示した読取部２を構成する検出部（ラインセンサ）に対応する。画像処理部１０２は、原稿の搬送に合わせた読み取りタイミングの調整や千鳥配置された各検出部（センサ１００）の位置や読取タイミングに応じて画像補正を行う。操作部１０５は、操作者による指示入力を受容するスイッチ群を含んで構成される操作部である。ここでのスイッチ群としては、電源スイッチや検出起動を指示するためのスイッチが挙げられる。また、ユーザ選択により検出部の構成を行うための起動スイッチが含まれてもよい。操作部１０５は、例えば、表示部と入力部とが一体化した、タッチパネルにより構成されてもよい。
【００１９】
モータ１０６は、原稿を走査するために搬送ローラ１を駆動する。インターフェース部１０４より、読取装置８にて読み取られた画像データが外部装置（不図示）へ出力される。外部装置としては、例えば、ＵＳＢ接続が可能なＵＳＢメモリなどが挙げられ、ＵＳＢメモリに画像データを直接保存することが可能な構成であってもよい。また、画像形成装置が接続され、読み取った画像データを印刷することでコピー機能を実現することも可能である。また、外部装置としてディスプレイ装置が接続され、読み取った画像データを表示させるような構成であってもよい。
【００２０】
［処理フロー］
図７を用いて、本実施形態に係る制御処理のフローチャートを示す。本処理フローは、コントローラ１０７が有するCPU１０８が、記憶部１０３に記憶されたプログラムを読み出して実行し、各種部位を制御することで実現される。
【００２１】
Ｓ７０１にて、読取装置８は、第一の検出部２０で読み取りを行う。より具体的には、原稿搬送方向上流側に配置された検出部にて読み取りが行われる。
【００２２】
図８は、本実施形態に係る読取部２における検出部の千鳥配置の構成を説明するための図である。１つの検出部は、Ａ４サイズのラインセンサから構成され、原稿搬送方向に対して直交する方向に５つの検出部が２列の千鳥配列状にて配置されている例を示す。ここでは便宜上、各検出部を、第一〜第五の検出部２０、２１、３０、３１、３２と称する。それぞれの検出部は、隣の検出部と原稿５の搬送方向に対して、重なり部を有する。図５に示したように、重なり部２３は、第一の検出部２０と第二の検出部２１の重なり部を示す。同様に、各検出部の配置により、重なり部３３、３４、３５が形成される。なお、読取部２を構成する検出部（ラインセンサ）のサイズや千鳥配列がなされる数は一例であり、この構成は変動してよい。また、重なり部のサイズ（幅）や、第一の検出部２０側（上流側）の列と第二の検出部２１側（下流側）の列との間の距離についても、ここでは特に限定するものでは無い。
【００２３】
原稿５が挿入（搬送）されると原稿搬送方向の上流側に配した、第一の検出部２０、第三の検出部３０、第五の検出部３２で原稿上の画像の読み取りを開始する。つまり、ここでの読み取りでは、読取部２が備える千鳥配列となっている複数の検出部のうち、原稿搬送方向の上流側に配置されている検出部を用いて、読み取りが行われる。それぞれの検出部は、製造過程による検出結果のばらつきを有するため、検出結果に対して校正を行う。校正方法は、例えば、以下の方法が挙げられる。まず、校正用の画像データを取得するために、黒地印刷、白地印刷（白地は紙の地色でも良い）された特定の紙を通紙する。印刷部（不図示）において、黒地および白地それぞれの出力をＸおよびＹとする。データ分解能を８ｂｉｔ（２５６段階）、検出部の出力をＵとすると、校正後の出力は、以下の式で規定される。
（Ｕ−Ｘ）／（Ｙ−Ｘ）×２５６
特定の紙に対する読み取り結果を用いて校正を実施することで、製造過程の異なる複数の検出部の出力を比較することが可能になる。
【００２４】
Ｓ７０２にて、読取装置８は、第二の検出部２１で読み取りを行う。より具体的には、原稿搬送方向下流側に配置された検出部にて読み取りが行われる。
【００２５】
図９は、複数の検出部の出力演算ブロックの概略図を示す。Ｓ７０１の工程にて説明したように、第一、第三、第五の検出部２０、３０、３２それぞれの出力結果に対し、各検出部に対応した校正部９０１、９０３、９０５により、出力校正が行われる。第一、第三、第五の検出部２０、３０、３２よりも原稿搬送方向の下流側に配置される第二、第四の検出部２１、３１の検出位置に搬送されるまでの間、第一、第三、第五の検出部２０、３０、３２の検出結果は、シフトレジスタ９０６〜９０８によりシフト（保持）される。シフトレジスタ９０６〜９０８の段数、すなわちシフト量は、第一、第三、第五の検出部２０、３０、３２と、第二、第四の検出部２１、３１との原稿搬送方向の距離によって決定される。
【００２６】
図９の構成に限定するものではなく、各検出部に対応づけてシフトレジスタを設定することで、検出部ごとに比較してもよいし、重なり部の平均値を保有することで、代表して比較を実施してもよい。搬送されている原稿が第二、第四の検出部２１、３１の読み取り位置に到達後、原稿上の画像の検出を実施する。第一、第三、第五の検出部２０、３０、３２と第二、第四の検出部２１、３１との位置関係を踏まえ、読み取り原稿画像における原稿搬送方向の位置が同じになるよう、シフトレジスタ９０６〜９０８が配される。そして、Ｓ７０１と同様、第二、第四の検出部２１、３１の読み取り結果が、各検出部に対応した校正部９０２、９０４により、出力校正が行われる。
【００２７】
なお、第一、第三、第五の検出部２０、３０、３２は、第二、第四の検出部２１、３１の読み取り位置に原稿が到達するまでの原稿搬送時も検出を継続して実施することにより、読み取り面すべての位置で同様の処理が行われる。本実施形態に係る読取部２の構成は、奇数番号の検出部が原稿搬送方向の上流側に配される構成について説明を実施するが、偶数番号の検出部が、原稿搬送方向の上流側に配される構成であってもよい。
【００２８】
Ｓ７０３にて、読取装置８は、重なり部における画像の比較を行う。
【００２９】
図１０は、第一の検出部２０および第二の検出部２１の重なり部２３で検出した出力の模式図を示す。原稿搬送方向に重なり部２３を有する第一の検出部２０および第二の検出部２１はそれぞれ、原稿５の同じ位置の画像を検出（読み取る）こととなる。原稿５を搬送させた場合を例に挙げて説明する。まず、原稿搬送方向の上流側に配置された第一の検出部２０で原稿５の画像を検出する。搬送用のエンコーダ（エンコーダホイール１１）に同期して読み取りを実施し、原稿長の読取画像２６を取得する。その後、原稿５が第二の検出部２１の読み取り位置まで搬送されると、第二の検出部２１で原稿５の画像の読み取りが開始される。
【００３０】
第二の検出部２１による画像の読み取り結果として、図５に示すような、原稿長の読取画像２７が取得される。原稿画像に依存して、読み取り結果としての出力が変動するが、重なり部２３の範囲において、第一の検出部２０と第二の検出部２１は、原稿５上の同じ画像が読み取られるため、読み取り面に印刷された画像による出力変動の影響は小さいと考えることができる。原稿搬送方向における第一の検出部２０による読取画像２６の領域をＡ〜Ｄのように複数の領域に分割する。同様に、第二の検出部２１による読取画像２７の領域もＡ’〜Ｄ’のように複数の領域に分割する。ここで、ＡとＡ’とは対応しており、同様に、Ｂ以降も対応している。原稿搬送方向に対し、領域を持つことで、ランダムノイズの影響を軽減できる。一方、領域を広げることにより検出感度の低下要因となるため、読取装置８に要求される特性に応じて、領域設定すればよい。
【００３１】
第一の検出部２０により取得した領域Ａの画像をシフトレジスタ９０６により、第二の検出部２１が領域Ａ’の画像を検出するタイミングに合わせることで、読取画像で比較することができる。各検出部のばらつきは、対応する校正部で構成しているため、搬送が正常の場合、Ａ／Ａ’は“１”となる。同様に、搬送が正常の場合、Ｂ／Ｂ’、Ｃ／Ｃ’と順次比較してもそれらの比較結果も“１”となる。言い換えると、搬送に不良が発生する場合、比較の結果は“１”からの差異が生じることとなる。上記の方法により、比較部９１０は、順次比較を行う。
【００３２】
なお、校正を実施していても、検出部の状態によっては、検出部間の出力バラツキの影響を受ける可能性がある。その場合、出力校正のため、例えば、以下の方法を用いることも可能である。第一の検出部２０による領域Ａと領域Ｂの比率を求める。同様に、第二の検出部２１による領域Ａ’と領域Ｂ’の比率を求める。原稿の画像が同じ場合、検出部の出力の変化比率は、検出部の感度によらず同じになる。そのため、比率同士を比較してもよい、この場合、（Ａ／Ｂ）／（Ａ’／Ｂ’）の演算を実施する。搬送が正常の場合、この値は“１”となる。以降同様に、Ｂ／Ｃ、Ｂ’／Ｃ’と比較していけばよい。
【００３３】
Ｓ７０４にて、読取装置８は、Ｓ７０３における比較の結果が所定量以上となるか否かを判定する。
【００３４】
図１１は、第一、第二の検出部２０、２１の比較出力の模式図を示す。図１１（ａ）は搬送が正常の場合を示し、図１１（ｂ）は搬送に不良が生じている場合を示している。また、閾値３８は、搬送における不良の有無を判定するための閾値を示す。本実施形態において、閾値３８は、原稿の厚み方向への原稿の変動量に依存して設定すればよい。搬送が正常の場合、比較部９１０の出力は、およそ一定（ここでは“１”）になる。搬送に不良が生じると、原稿と検出部間の距離が変動する。具体的には、図１０の例の場合、原稿搬送方向に対して鉛直方向である原稿５と各検出部との距離が変動する。言い換えると、検出部が備える発光部から照射される光の経路に変動が生じる。
【００３５】
原稿を搬送させる領域のサイズは、読取装置８の構成に依存する。例えば、紙厚０．８ｍｍまでの原稿を許容する場合、搬送経路は、少なくとも紙の厚み方向に０．８ｍｍの空間を有する。例えば、折り畳んで持ち運ぶような原稿（普通紙）の場合、紙の厚みは０．１ｍｍ程度のため、残りの０．７ｍｍの空間が搬送経路上に空きとして存在することとなる。この場合において、閾値を０．４ｍｍ変動した時の出力とすればよい。この閾値は、固定でもよいし、紙の種類、原稿における印刷画像に応じて複数の閾値を切り替えて用いてもよい。例えば、閾値３８は、比較部９１０において、値が大きい方から小さい方を除算すると、１つの閾値のみを用いて判定が可能となる。比較部９１０の出力が所定量以上である場合（Ｓ７０４にてＹＥＳ）Ｓ７０５へ進み、比較部９１０の出力が所定量より小さい場合は（Ｓ７０４にてＮＯ）本処理フローを終了する。つまり、現在の原稿の搬送条件を維持したまま、搬送制御および読取制御が行われることとなる。
【００３６】
図１１（ｂ）に示すように、第一の検出部２０においては搬送の不良が発生していない状態で、第二の検出部２１で搬送の不良の予兆が発生する場合、比較部９１０の出力は変動する。つまり、比較部９１０における出力変動（閾値を超える出力）をジャム発生の予兆とし、所定の搬送制御を実行する。
【００３７】
Ｓ７０５にて、読取装置８は、原稿の搬送速度を変更する。
【００３８】
本実施形態では、所定の搬送制御として、比較部９１０の出力が所定の閾値を超える場合、原稿に対する搬送速度を遅くする。ここでは、搬送速度の目標値（目標速度）を２つ設定する例を挙げて説明する。なお、目標値は、原稿種類に応じて変更してもよい。１つ目の目標値を、搬送正常状態の目標値（高速目標）、２つ目の目標値を、搬送不良状態の目標値（低速目標）とする。読取装置８は、原稿の挿入から高速目標をターゲットにして速度を上げる。比較部９１０の出力が閾値を超えた際に、読取装置８は、搬送速度に対する目標値を高速目標から低速目標へ減速する。減速は、原稿のすべりや検出への影響が発生しないように、段階的に行われる。搬送速度が低速目標に達した状態で、比較部９１０の出力が閾値を再度下回った場合（つまり、閾値以下の範囲内となった場合）、搬送速度を高速目標へ向けて加速させる。加速時も減速時と同様に、原稿のすべりや検出への影響が発生しないように、段階的に行われる。折り目を含む原稿を読み取る場合、原稿において折り目以外の個所では、高速に画像の検出が実施され、折り目の部分では、低速に画像検出が行われる。画像の読み取りへの影響を最小にするため、画像の検出タイミングは、搬送用のエンコーダ（エンコーダホイール１１）を基準として実施し、原稿画像の読み取り解像度は、搬送速度に依存しない構成とする。
【００３９】
例えば、高速目標を１０ｉｎｃｈ／ｓｅｃに、低速目標を３ｉｎｃｈ／ｓｅｃに設定する場合、以下のように速度制御が行われる。まず、原稿の挿入時は、高速目標で駆動される。比較部９１０の出力が閾値を超えると低速目標へ減速を行うように切り替えられる。低速目標へ減速を行う際の段階的な速度変化としては、２ｉｎｃｈ／ｓｅｃ程度ずつ変化させれば、紙すべりの影響を少なくすることができる。低速で搬送速度が安定し、かつ、比較部９１０の出力が閾値を下回った段階で、高速目標への加速（搬送速度の上昇）が再度行われる。ジャム発生の可能性がある原稿状態では、急激な速度上昇はジャム発生の原因になるため、減速と同様に段階的に速度を上昇させる。速度を上昇中においても、比較部９１０の出力が閾値を上回った場合、加速から減速へと切り替えて低速目標へと変化させる。一方、低速目標に達しても閾値を下回らない場合、読み取り動作を停止する。読み取り動作を停止した場合、停止した原因や対処方法を、操作部１０５に表示するような構成であってよい。
【００４０】
なお、速度制御の一例について説明を行ったが、本発明は、この速度制御以外の方法でも適用可能である。
【００４１】
従来、折り目のある大判の原稿では、ジャムの発生可能性を低減するために、低速駆動を採用することがある。その場合、折り目のある原稿の読み取り速度全体を下げることになる。しかし、本発明により、原稿状態に合わせた搬送速度設定が可能になり、生産性の高い画像の読取装置を実現することができる。
【００４２】
＜第２の実施形態＞
次に、本発明の第２の実施形態について説明を行う。本実施形態では、所定の搬送制御として、比較部の出力が所定の閾値を超える場合に、原稿の搬送経路上に設けられた原稿に対する押さえ部材の圧力を調整する方法を説明する。
【００４３】
図１２は、本実施形態に係る原稿押さえ部の圧力を調整する方法を用いたフローチャートを示す。検出、判定方法は、第１の実施形態にて図７に示した本発明の代表的なフローと同じであるため、重複する部分については、同じ参照番号を付して説明を省略する。
【００４４】
Ｓ１２０１にて、読取装置８は、原稿の搬送経路上において、原稿に対する押さえ部材の圧力を変更する。
【００４５】
図１３は、本実施形態に係る原稿の搬送経路上に設けられた原稿に対する押さえ部材の模式図を示す。図１３（ａ）に示すように、読取装置８は、複数の押さえ部材９を有し、搬送正常時には、複数の押さえ部材９により原稿５を、所定の圧力により搬送ローラ１に対して押さえつけている。搬送状態が不良になると押さえ部材９の周辺で原稿５の変動が発生する。例えば、第二の検出部２０と第三の検出部３０の重なり部３３において搬送不良と判定された場合、図１３（ｂ）に示すように、押さえ部材９を搬送ローラ１から離す（状態１０）。これにより、搬送状態の不良発生箇所の原稿５に対する押さえの圧力を低減することができる。押さえの圧力を低減することで、搬送経路上における原稿５の乱れが解消され、搬送が正常に行われる。
【００４６】
比較部９１０の出力が閾値を再度下回った場合、図１３（ａ）に示すように、押さえ部材９を正常位置に戻す。原稿の乱れを解消するためには、有効な手段である一方、押さえ部材９を離した状態で継続して搬送する場合、原稿の搬送精度への影響が発生する。そのため、比較部９１０の出力が閾値を下回った場合、押さえ部材９を正常位置に戻す。
【００４７】
例えば、押さえ部材９として、１０ｍｍ幅のコロを用いることが可能である。この場合、次の制御を行う。コロのピッチ間を同じく１０ｍｍとすると、読取幅が９１０ｍｍ幅の読取装置８では、４６個のコロと４５か所のピッチ間を有する。コロは、個別のアクチュエータ（不図示）により独立して制御可能とする。第一、第二の検出部２０、２１に対する比較部９１０の出力が閾値を上回る場合、発生箇所直近の押さえ部材９を１個所解除する（状態１０）。比較部９１０の出力（比較の結果）が閾値を下回った場合、押さえ部材９を正常位置に戻す。正常位置に戻す目安は、用紙幅によって変更してもよいが、搬送ローラ１間の距離程度にしておけばよい。
【００４８】
一方、比較部９１０の出力が閾値を継続して上回っている場合、発生箇所に近い２つ目の押さえ部材９を更に解除する。つまり、比較部９１０の出力が閾値を超えた状態が続く場合には、押さえの圧力を低下させる押さえ部材９の数を順次増加させていく。ここでの2つ目以降の押さえ部材９を解除するタイミングは固定値が用いられてもよいし、原稿のサイズに応じて切り替えられてもよい。複数個所のコロを解除しても閾値を下回らない場合、読み取り動作を停止する。読み取り動作を停止した場合、停止した原因や対処方法を、操作部１０５に表示するような構成であってよい。
【００４９】
以上、本実施形態により、原稿状態に合わせた搬送速度設定が可能になり、生産性の高い画像の読取装置を実現することができる。
【００５０】
＜第３の実施形態＞
次に、本発明の第３の実施形態について説明を行う。本実施形態では、原稿に含まれる折り目を検出するのに好適な検出部の配置について説明を行う。
【００５１】
図１４は、本実施形態に係る検出部の受光部と発光部の関係を表す模式図を示す。本実施形態において、第一の検出部２０は、読取装置８の下筺体４の搬送方向上流側（原稿搬送方向入り口側）に配される。また、第二の検出部２１は、読取装置８の下筺体４の搬送方向下流側（原稿搬送方向出口側）に配される。第一、第二の検出部２０、２１はそれぞれ、発光部と受光部を有した一体型ユニットで構成される。また、図１４では不図示であるが、原稿搬送方向と垂直方向に列状の複数の検出部が設けられる。
【００５２】
第一の検出部２０は、原稿搬送方向上流側に受光部２５を配置し、下流側に発光部２４を配する。一方、第二の検出部２１は、原稿搬送方向上流側に発光部２８を配置し、下流側に受光部２９を配する。図１４に示す２つの検出部は、外光影響を避けるために原稿搬送方向において、十分に離れて配置されるものとする。第一の検出部２０および第二の検出部２１の発光部および受光部の向きは、図１４とは逆の配置でも特性上は可能である。しかしながら、装置を小型化にするために、第一の検出部２０における発光部２４の照射方向を原稿搬送方向上流側へ向け、第二の検出部２１をこれとは逆向きにすることで、原稿搬送方向において２つの検出部をより近づけることが可能になる。また、第一の検出部２０と第二の検出部２１の発光部および受光部の配置や検出範囲（光の照射の向き）を異ならせることで、折り目の検出感度を向上することができる。
【００５３】
図１５（ａ）は、折り目を含む原稿５を挿入した場合の出力模式図を示す。図１５（ｂ）は、折り目を含む原稿５を挿入した際の、第一の検出部２０、第二の検出部２１それぞれの検出結果である。図１５（ｂ）において、横軸は原稿５に対する搬送方向を示し、縦軸は検出部が出力した値を示す。原稿搬送方向上流側に配置される第一の検出部２０は、時間軸では先に検出を行うが、図１５（ｂ）では、原稿５の検出位置に対する出力として示す。図１５（ｂ）は、原稿５全域に対して、第一の検出部２０で検出した出力を示す出力値３９と第二の検出部２１で検出した出力を示す出力値４０を示している。
【００５４】
原稿５の先端部の検出は、原稿あり／なしでの検出が可能である。そのため、原稿５の先端からの読み取り位置は、搬送ローラ１の駆動および各検出部の検出タイミングにより、第一の検出部２０と第二の検出部２１が原稿５のどの位置を読み取りしているかを判別可能である。第一の検出部２０と第二の検出部２１の検出量は、原稿５において読取対象となる画像が同じため、折り目のない原稿では同じになる。一方、折り目領域では、第一の検出部２０と第二の検出部２１では検出結果が異なる。これは、発光部および受光部の構成により、折り目位置での光の反射方向が異なるためである。つまり、発光部および受光部の方向を第一の検出部２０と第二の検出部２１で異ならせることで、折り目位置での出力変化を顕著に判断することができる。この構成では、折り目位置で必ず搬送制御が実施されるため、折り目のある原稿の折り目起因の搬送不良を未然防止が可能になる。
【００５５】
以上、本実施形態により、読取装置において、折り目に代表される搬送不良が発生しやすい原稿に対する読み取り時の搬送不良を低減することが可能となる。
【００５６】
＜その他の実施形態＞
本発明は上述の実施形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５７】
１…搬送ローラ、２…検出部、３…上カバー、４…下筐体、９…押さえ部材、２０…第一の検出部、２１…第二の検出部、２３…重なり部、２４…発光部、２５…受光部、２８…発光部、２９…受光部、９１０…比較部、９１１…制御部
【図１】
2019198007.tif 000003
【図２】
2019198007.tif 000004
【図３】
2019198007.tif 000005
【図４】
2019198007.tif 000006
【図５】
2019198007.tif 000007
【図６】
2019198007.tif 000008
【図７】
2019198007.tif 000009
【図８】
2019198007.tif 000010
【図９】
2019198007.tif 000011
【図１０】
2019198007.tif 000012
【図１１】
2019198007.tif 000013
【図１２】
2019198007.tif 000014
【図１３】
2019198007.tif 000015
【図１４】
2019198007.tif 000016
【図１５】
2019198007.tif 000017